(57)【要約】【課題】予期しない釣銭準備金の不足に迅速に対応できるようにした売上金入金機を提供すること。【解決手段】売上金入金機の下段の保管庫スペースに両替パターン別に区切られた両替金保管庫を設ける。【選択図】図２
2006085220.tif 000002
【特許請求の範囲】
【請求項１】
店舗の売上金貨幣を受け入れてその金種を識別し且つ枚数を計数した上で、これら売上金貨幣を貨幣カセットに送って入金処理する売上金入金機において、
該売上金入金機の本体内に金種毎に区画され、かつ、該区画ごとに施解錠が可能な扉が付された両替金保管庫を設け、前記区画の選択情報の入力及び前記選択された区画の両替金と交換するのに必要な額の貨幣が前記売上金入金機に投入されることにより、前記両替金保管庫の選択された区画の扉を解錠するように制御する制御部を備えたことを特徴とする売上金入金機。
【発明の詳細な説明】
【技術分野】
【０００１】
本発明は小売店等の店舗内に設置される売上金入金機に関するもので、特に現金配送業者が管理する両替金保管庫を備えた売上金入金機に関する。
【背景技術】
【０００２】
小売店等の店舗内に売上金入金機を設置しておいて、店舗の売上金全てをこの入金機によって入金処理を行い、この小売店と委託契約を結んだ警備会社等の現金配送業者が入金処理された現金を回収するようにしたものとして、例えば本出願人等による特許第3340176号公報に示されるものがある。
上記公報で示される売上金入金機では、売上金入金機本体の下部に保管庫が設けられており、店側の自由な保管庫として利用できるようになっている。
一方、釣銭準備金については、前記現金配送業者が店舗のために準備したものを、売上金回収の際に持参するようにしている。
【特許文献１】特許第3340176号公報
【発明の開示】
【発明が解決しようとする課題】
【０００３】
店の営業途中で当初準備していた釣銭準備金の中の特定金種の貨幣が底をついてしまうという事態が発生したときには、現金配送業者に改めて配送依頼するか或いは銀行へ行って両替して来なくてはならないことになり、極めて煩雑なものとなる。
一方、前述の通り、従来の売上金入金機の下部には保管庫スペースが設けられており、このスペースの有効利用が求められていた。
本発明は上述のような事情に鑑み為されたものであり、本発明は、売上金入金機の本体内に現金配送業者の管理の下に金種毎に区画された両替金保管庫を設けることで、予期しない釣銭準備金の不足に迅速に対応できるようにした売上金入金機を提供することを目的とする。
【課題を解決するための手段】
【０００４】
本発明は売上金入金機に関するものであり、本発明の上記目的は、店舗の売上金貨幣を受け入れてその金種を識別し且つ枚数を計数した上で、これら売上金貨幣を貨幣カセットに送って入金処理する売上金入金機において、該売上金入金機の本体内に金種毎に区画され、かつ、該区画ごとに施解錠が可能な扉が付された両替金保管庫を設け、前記区画の選択情報の入力及び前記選択された区画の両替金と交換するのに必要な額の貨幣が前記売上金入金機に投入されることにより、前記両替金保管庫の選択された区画の扉を解錠するように制御する制御部を備えたことを特徴とする売上金入金機によって達成される。
【発明の効果】
【０００５】
売上金入金機を利用する店舗側にとっては、釣銭準備金として運用している特定金種の貨幣が底をついたときに、手軽に調達することができるという利便さが実現される。また、売上金入金機の下部の保管庫スペースの有効利用が図られる。
一方、売上金入金機を設置している現金配送業者側にとっては、手数料収入を得ることができるというメリットがある。
【発明を実施するための最良の形態】
【０００６】
本発明は、予期しない釣銭準備金の不足に迅速に対応できるようにした売上金入金機に関するものであり、本発明の売上金入金機は筐体の上部側が処理機ユニットで構成され、下部側に両替金保管庫が設けられている。また、両替金保管庫は格子状に区切られ、種々の両替パターンの個別の容器の集合体として形成されている。以下、図面を参照しつつ、詳細に説明する。
【０００７】
図１は、本発明に係る売上金入金機の斜視図であり、（Ａ）は外観図を示す。図１（Ａ）において、１は操作表示部であり、金額等の表示を行う表示器や、操作ボタンなどが配置されている。２は両替金（必要に応じて手数料を含む）を投入する紙幣投入口、３は端数の硬貨を投入する硬貨投入口である。図１（Ｂ）は収納扉を開けた場合の内部概観図である。上段は貨幣カセットの収納されるカセットスペース、下段は両替金保管庫が収納される保管庫スペースになっている。
【０００８】
図２は前記保管庫スペースに両替パターンごとに区切られた両替金保管庫（錠付き扉のついた引出しタイプ）が設けられた、本発明に係る売上金入金機の一例を示す図である。
各区画（引出し）には、両替パターンごとにそれぞれ両替された現金が収納されている。
例えば、(1)の区画には１０００円紙幣１０枚が収納されており、１万円分の両替金である。また、(2)の区画には５００円棒金（５０枚）が１本入っており、２５０００円分の両替金である。もし、営業途中で１０００円紙幣が不足した場合は、１万円分の現金（場合によっては所定の手数料を付加）を売上金入金機に投入して、(1)の区画を選択することにより、区画(1)の扉が解錠され、両替金を取り出すことができる。
【０００９】
図３は本発明に係る売上金入金機の両替金保管庫の制御に関連する部分のブロック図である。図中、両替金受入手段は両替のために現金及び必要な手数料を受け入れて計数するものである。例えば、前記紙幣投入口２や硬貨投入口３がこれに相当する。また、両替パターン選択手段は保管庫区画を選択するためのものであり、例えば、操作表示部１の表示器に表示された両替パターンの一覧からタッチパネル方式で選択させるようにしてもよい。
施解錠手段は、両替金保管庫の各区画の扉の施解錠を行うものであり、制御部によって施解錠が制御される。なお、制御部はＣＰＵ（中央処理装置）、ＲＯＭ、ＲＡＭを含むものである。
【００１０】
図４は本発明に係る売上金入金機の両替動作に関する部分のフローチャートであり、本図を参照して説明する。
準備した両替金のうち１００円硬貨が不足し、緊急に両替金が必要になった場合を例にとって説明する。まず、売上金入金機の収納扉の錠を専用鍵若しくは解錠権限カードを用いて解錠し、扉を開放する（ステップＳ１）。次に、操作表示部１にある「両替金モード」キーを押下する（ステップＳ２）。そうすると売上金入金機が両替金モードに変わり、表示器に図２のような両替金パターンが表示されるので、希望する両替金のパターンを選択する（ステップＳ３）。この例の場合は(3)又は(4)を選択する。(3)を選択すると、両替に必要な金額が表示されるので（ステップＳ４）、その額の現金を投入する（ステップＳ５）。この例では、１００円の棒金２本分（１００００円）と手数料（５％＝５００円）の合計額１０５００円を投入する。紙幣は紙幣投入口２へ、硬貨は硬貨投入口３に入れる。
ここで、投入した金額が必要な金額に満たない場合は、不足している旨を表示し、不足金額の投入を促す（ステップＳ６）。投入した金額が必要な金額に達していれば、選択された両替金の入っている区画（この場合は(3)）の扉のみが解錠される（ステップＳ７）ので、扉をあけて１００円棒金２本を取り出す（ステップＳ８）。両替金を取り出し、区画の扉を閉めると自動的にロックされ、最後に収納扉を閉じ、施錠する（ステップＳ９）。収納扉の施錠は自動化してもよい。なお、取り出されて空になった保管庫の区画には、現金配送業者が補充する運用にするのが一般的である。
【００１１】
いうまでもないが、ステップＳ１における収納扉の開放は、必ずしもステップＳ１において行う必要はなく、ステップＳ８の前であれば、いつでも構わない。
【図面の簡単な説明】
【００１２】
【図１】本発明に係る売上金入金機の斜視図であり、（Ａ）は外観図を示し、（Ｂ）は収納扉を開けた場合の内部概観図を示す。
【図２】保管庫スペースに両替パターンごとに区切られた両替金保管庫が設けられた売上金入金機の一例を示す図である。
【図３】本発明に係る売上金入金機の両替金保管庫の制御に関連する部分のブロック図である。
【図４】本発明に係る売上金入金機の両替動作に関する部分のフローチャートである。
【符号の説明】
【００１３】
１  操作表示部
２  紙幣投入部
３  硬貨投入部
【図１】
2006085220.tif 000003
【図２】
2006085220.tif 000004
【図３】
2006085220.tif 000005
【図４】
2006085220.tif 000006